(57)【要約】      （修正有）【課題】自動車座面の荷物の落下を防止する荷物落下防止ベルトを提供する。【解決手段】ヘッドレスト用固定ベルト１と荷物用固定ベルト２が交差して取り付けられてなり、雌型スナップ３が荷物用固定ベルトの一端に取り付けられ、雌型スナップに対し脱着可能な雄型スナップ４が荷物用固定ベルトの他方に取り付けられ、雌型スナップと雄型スナップを係合した際に、荷物用固定ベルトがリング状になる。【選択図】図１
0003181869.tif 000002
【実用新案登録請求の範囲】
【請求項１】
ヘッドレスト用固定ベルトと荷物用固定ベルトを備え、雌型スナップがヘッドレスト用固定ベルトと荷物用固定ベルトに取り付けられており、雌型スナップに対し着脱可能な雄型スナップが荷物用固定ベルトに取り付けられて、荷物用固定ベルトがリング状になることを特徴とする自動車座面の荷物落下防止ベルト。
【請求項２】
前記１に対して、調節留め金が設けられていることを特徴とする請求項１記載の自動車座面の荷物落下防止ベルト。
【考案の詳細な説明】
【技術分野】
【０００１】
本考案は、自動車の座面（特に助手席）に載置されている荷物（買い物袋、ハンドバッグ、ノート型パソコン用のカバン、手提げ紙袋等の物を含む）の落下防止ベルトに関する。
ヘッドレスト用固定ベルトに荷物用固定ベルトを備え、ヘッドレスト用固定ベルトをヘッドレストに巻き付けて、調節留め金（スナップ、スナップボタン、磁石、ホック、ファスナー、面ファスナー、スナップファスナー、縛金具等の止定具を含む）で固定し、荷物用固定ベルトを座面に載置した荷物の取っ手にくぐらせて、雌型スナップと雄型スナップを連結させ、荷物を固定する自動車座面の荷物落下防止ベルトに関するものである。
【背景技術】
【０００２】
自動車（特に助手席）の座面に荷物を載置した時、急ブレーキや急カーブ等の運転状況に陥った際に、荷物が座面から落下することが多かった。そのような時には、荷物が落下により破損したり、運転が疎かになったりする危険があった。
そこで従来、荷物の落下を防止するために、座席を構成するシャフトにフックをかけ荷物を吊す方法や、箱状又は網状の物で荷物の落下を防止する方法など種々の荷物落下防止器が提案されている。
【先行技術文献】
【特許文献】
【０００３】
【特許文献１】特開２０１２−１７０４６号公報
【特許文献２】特開２００７−３３０７８８号公報
【考案の概要】
【考案が解決しようとする課題】
【０００４】
しかし、これらは次のような欠点があった。
荷物の重さに制限があったり、場所をとったり、取り付けが面倒で使い勝手が悪かったり、荷物を押しつぶしたり、デザイン性に欠けていたりした。
また、座席に座る際、落下防止器が邪魔になったりした。
本考案は、以上のような欠点をなくすためになされたものである。
【課題を解決するための手段】
【０００５】
本考案は、二本の交差したベルトからなる。一方のベルトはヘッドレストに固定する。もう一方のベルトには、雌型スナップと雄型スナップが付いていて、それらを連結することで、そのベルトがリング状になる。
また、ヘッドレストに固定するベルトは、調節留め金を備えており、ヘッドレストの大きさに合わせて、ベルトの長さを調整できる。
【考案の効果】
【０００６】
請求項１から、リング状になったベルトで荷物を座席に固定することができ、急ブレーキや急カーブの際も、荷物が前後左右にずれることがなく、また座面から落下して壊れることもないので、運転者は安心して運転することができる。
請求項２から、調節留め金によりベルトの長さをヘッドレストの大きさに合わせることができる。
【図面の簡単な説明】
【０００７】
【図１】本願考案の実施例を示す斜視図である。
【図２】本願考案のベルトを荷物の取っ手にくぐらせた状態を示す斜視図である。
【図３】本願考案のベルトを車のヘッドレストに固定した状態を示す斜視図である。
【図４】本願考案の正面図である。
【図５】本願考案の図４の背面図である。
【図６】本願考案のベルトを調節留め金でヘッドレストに固定しようとしている状態を背もたれの後側から見た斜視図である。
【図７】本願考案のベルトを調節留め金でヘッドレストに固定した状態を背もたれの後側から見た斜視図である。
【図８】座席に人が着座する際、ヘッドレストに固定したベルトを背もたれの後に回す実施例の斜視図である。
【図９】本願考案のヘッドレストに固定したベルトを座席の後に回し、人が着座する際の座席前方の斜視図である。
【図１０】背もたれ背面にベルトで荷物を吊した実施例を示す斜視図である。
【考案を実施するための形態】
【０００８】
以下、本考案を実施するための最良の形態について説明する。
以下に自動車座面の荷物落下防止ベルトの使用手順を説明するが、本考案を実施するにあたり、この手順・説明に限定されるものではない。
【０００９】
図1は、自動車座面の荷物落下防止ベルトを使用した際の図である。
ヘッドレスト用固定ベルト１をヘッドレスト６に巻き付けて固定し、次に荷物用固定ベルト２の一端を座面７に載置した荷物９の取っ手にくぐらせ、雌型スナップ３と雄型スナップ４を連結し、手荷物９を座面７に固定したものである。
荷物用固定ベルト２で荷物９の取っ手を括ることにより必然的に袋の口が狭まり、袋の内容物が飛び出しにくくなる。
【００１０】
また、荷物９が宙に浮かない程度に荷物用固定ベルト２の長さを雄型スナップ４でベルトの位置を調整することで、荷物９が前方に落ちることを自らの緊張状態で防止する。
荷物９を荷物用固定ベルト２で吊すのではなく、座面７の上で括ることが特徴で、荷物９を座面７に載置できる範囲であれば、荷物９の個数、重さ及び大小についてはほとんど問われない。
【００１１】
図２は、雌型スナップ３と雄型スナップ４を着脱する前後の図である。
ヘッドレスト用固定ベルト１をヘッドレスト６に巻き付けて固定し、次に荷物用固定ベルト２の一端を座面７に載置した荷物９の取っ手にくぐらせ、荷物９が宙に浮かない程度に荷物用固定ベルト２の長さを雄型スナップ４で調整する。
荷物９を座席に固定する際は、雌型スナップ３に雄型スナップ４を差し込めばよく、急いでいるときも簡単にできる。
また、荷物９を荷物用固定ベルト２から外す際は、雄型スナップ４の両サイドの突起を押しながら引き抜けばよい。
【００１２】
図３は自動車座面の荷物落下防止ベルトをヘッドレスト用固定ベルト１でヘッドレスト６に固定した図である。
本考案では、自動車座面の荷物落下防止ベルトを座席から取り外すことも可能であるが、そのまま取り付けたままでもよい。
【００１３】
図４は自動車座面の荷物落下防止ベルトの正面図である。図５は図４の背面図である。ヘッドレスト用固定ベルト１、荷物用固定ベルト２、雌型スナップ３、雄型スナップ４および調節留め金５からなる。
荷物用固定ベルト２の交差している部分に雌型スナップ３を、もう一端の途中に雄型スナップ４を具備し、ヘッドレスト用固定ベルト１の一端に調節留め金５を具備する。
二本のベルトが交差するように縫いつけられている。
自動車座面の荷物落下防止ベルトは小さく丸めることができるため、座席から取り外した際にも嵩張らず、ドアポケットやグローブボックスにしまうことができる。
【００１４】
図６はヘッドレスト用固定ベルト１を運転席以外のヘッドレストに巻き付けているところを座席の斜め後ろから見た図である。
ヘッドレスト用固定ベルト１の一端に調節留め金５を具備している。
ヘッドレスト用固定ベルト１をヘッドレスト６に取り付ける際は、調節留め金５にヘッドレスト用固定ベルト１の一端を取り付ければよい。
また、ヘッドレスト用固定ベルト１をヘッドレスト６から取り外す際は、ヘッドレスト用固定ベルト１の一端を調節留め金５からはずせばよい。
【００１５】
図７はヘッドレスト用固定ベルト１を運転席以外のヘッドレスト６に調節留め金５で固定した状態を座席の斜め後ろから見た図である。
自動車のヘッドレスト６の大きさは車種によりさまざまであるが、調節留め金５で長さを自由に調整できる。
後部座席でもヘッドレスト６があればどの座席でも使用可能である。
【００１６】
図８はヘッドレスト用固定ベルト１をヘッドレスト６に固定した状態で、人が座席に着座する際、自動車座面の荷物落下防止ベルトが邪魔になるため、荷物用固定ベルト２及び雌型スナップ３、雄型スナップ４を背もたれ８の後ろに回そうとしている際の図である。
荷物用固定ベルト２はヘッドレスト６を中心軸として回動自在に構成されている。
【００１７】
図９はヘッドレスト用固定ベルト１をヘッドレスト６に固定し、自動車座面の荷物落下防止ベルトを背もたれ８の後ろに回した図である。
これにより、人が座席に着座する際、自動車座面の荷物落下防止ベルトが邪魔にならず、なんら支障をきたさない。
【００１８】
図１０は、自動車座面の荷物落下防止ベルトを背もたれ８の後に回した際、足もとに置くことがためらわれる荷物９を荷物用固定ベルト２で吊した図である。
荷物９はある程度の重さ（３９ｋｇまで）なら自動車座面の荷物落下防止ベルトで吊すことが可能である。
【００１９】
チャイルドシートを後部座席に設置している場合は、特に助手席に荷物を載置することが多いが、このような時にも便利である。
【００２０】
本考案は、以上のような構造である。
なお、本考案の基本原理を逸脱しない範囲において適宜に改良、変更することが可能である。
【符号の説明】
【００２１】
１  ヘッドレスト用固定ベルト
２  荷物用固定ベルト
３  雌型スナップ
４  雄型スナップ
５  調節留め金
６  ヘッドレスト
７  座面
８  背もたれ
９  荷物
【産業上の利用可能性】
【００２２】
本校案の荷物落下防止ベルトは、急ブレーキや急カーブの際も、荷物が前後左右にずれることがなく、また座面から落下して壊れることもないので、運転者が安心して運転できることを可能にする落下防止ベルトとして利用できる。
【図１】
0003181869.tif 000003
【図２】
0003181869.tif 000004
【図３】
0003181869.tif 000005
【図４】
0003181869.tif 000006
【図５】
0003181869.tif 000007
【図６】
0003181869.tif 000008
【図７】
0003181869.tif 000009
【図８】
0003181869.tif 000010
【図９】
0003181869.tif 000011
【図１０】
0003181869.tif 000012
【手続補正書】
【提出日】平成24年10月18日(2012.10.18)
【手続補正１】
【補正対象書類名】実用新案登録請求の範囲
【補正対象項目名】全文
【補正方法】変更
【補正の内容】
【実用新案登録請求の範囲】
【請求項１】
ヘッドレスト用固定ベルトと荷物用固定ベルトを備え、雌型スナップがヘッドレスト用固定ベルトと荷物用固定ベルトに取り付けられており、雌型スナップに対し着脱可能な雄型スナップが荷物用固定ベルトに取り付けられて、荷物用固定ベルトがリング状になることを特徴とする自動車座面の荷物落下防止ベルト。
【請求項２】
前記ヘッドレスト用固定ベルトに調節留め金が取り付けられていることを特徴とする請求項１記載の自動車座面の荷物落下防止ベルト。
【手続補正書】
【提出日】平成24年12月5日(2012.12.5)
【手続補正１】
【補正対象書類名】実用新案登録請求の範囲
【補正対象項目名】請求項１
【補正方法】変更
【補正の内容】
【請求項１】
ヘッドレスト用固定ベルトと荷物用固定ベルトが交差して取り付けられてなり、雌型スナップが前記荷物用固定ベルトの一端に取り付けられ、前記雌型スナップに対し脱着可能な雄型スナップが前記荷物用固定ベルトの他方に取り付けられ、前記雌型スナップと前記雄型スナップを係合した際に、前記荷物用固定ベルトがリング状になることを特徴とする自動車座面の荷物落下防止ベルト。
【手続補正２】
【補正対象書類名】明細書
【補正対象項目名】全文
【補正方法】変更
【補正の内容】
【考案の詳細な説明】
【技術分野】
【０００１】
本考案は、自動車の座面（特に助手席）に載置されている荷物（買い物袋、ハンドバッグ、ノート型パソコン用のカバン、手提げ紙袋等の物を含む）の落下防止ベルトに関する。
ヘッドレスト用固定ベルトに荷物用固定ベルトを備え、ヘッドレスト用固定ベルトをヘッドレストに巻き付けて、調節留め金（スナップ、スナップボタン、磁石、ホック、ファスナー、面ファスナー、スナップファスナー、縛金具等の止定具を含む）で固定し、荷物用固定ベルトを座面に載置した荷物の取っ手にくぐらせて、雌型スナップと雄型スナップを連結させ、荷物を固定する自動車座面の荷物落下防止ベルトに関するものである。
【背景技術】
【０００２】
自動車（特に助手席）の座面に荷物を載置した時、急ブレーキや急カーブ等の運転状況に陥った際に、荷物が座面から落下することが多かった。そのような時には、荷物が落下により破損したり、運転が疎かになったりする危険があった。
そこで従来、荷物の落下を防止するために、座席を構成するシャフトにフックをかけ荷物を吊す方法や、箱状又は網状の物で荷物の落下を防止する方法など種々の荷物落下防止器が提案されている。
【先行技術文献】
【特許文献】
【０００３】
【特許文献１】特開２０１２−１７０４６号公報
【特許文献２】特開２００７−３３０７８８号公報
【考案の概要】
【考案が解決しようとする課題】
【０００４】
しかし、これらは次のような欠点があった。
荷物の重さに制限があったり、場所をとったり、取り付けが面倒で使い勝手が悪かったり、荷物を押しつぶしたり、デザイン性に欠けていたりした。
また、座席に座る際、落下防止器が邪魔になったりした。
本考案は、以上のような欠点をなくすためになされたものである。
【課題を解決するための手段】
【０００５】
本考案は、二本の交差したベルトからなる。一方のベルトはヘッドレストに固定する。もう一方のベルトには、雌型スナップと雄型スナップが付いていて、それらを連結することで、そのベルトがリング状になる。
また、ヘッドレストに固定するベルトは、調節留め金を備えており、ヘッドレストの大きさに合わせて、ベルトの長さを調整できる。
【考案の効果】
【０００６】
請求項１から、リング状になったベルトで荷物を座席に固定することができ、急ブレーキや急カーブの際も、荷物が前後左右にずれることがなく、また座面から落下して壊れることもないので、運転者は安心して運転することができる。
請求項２から、調節留め金によりベルトの長さをヘッドレストの大きさに合わせることができる。
【図面の簡単な説明】
【０００７】
【図１】本願考案の実施例を示す斜視図である。
【図２】本願考案のベルトを荷物の取っ手にくぐらせた状態を示す斜視図である。
【図３】本願考案のベルトを車のヘッドレストに固定した状態を示す斜視図である。
【図４】本願考案の正面図である。
【図５】本願考案の図４の背面図である。
【図６】本願考案のベルトを調節留め金でヘッドレストに固定しようとしている状態を背もたれの後側から見た斜視図である。
【図７】本願考案のベルトを調節留め金でヘッドレストに固定した状態を背もたれの後側から見た斜視図である。
【図８】座席に人が着座する際、ヘッドレストに固定したベルトを背もたれの後に回す実施例の斜視図である。
【図９】本願考案のヘッドレストに固定したベルトを座席の後に回し、人が着座する際の座席前方の斜視図である。
【図１０】背もたれ背面にベルトで荷物を吊した実施例を示す斜視図である。
【考案を実施するための形態】
【０００８】
以下、本考案を実施するための最良の形態について説明する。
以下に自動車座面の荷物落下防止ベルトの使用手順を説明するが、本考案を実施するにあたり、この手順・説明に限定されるものではない。
【０００９】
図1は、自動車座面の荷物落下防止ベルトを使用した際の図である。
ヘッドレスト用固定ベルト１をヘッドレスト６に巻き付けて固定し、次に荷物用固定ベルト２の一端を座面７に載置した荷物９の取っ手にくぐらせ、雌型スナップ３と雄型スナップ４を係合し、手荷物９を座面７に固定したものである。
荷物用固定ベルト２で荷物９の取っ手を括ることにより必然的に袋の口が狭まり、袋の内容物が飛び出しにくくなる。
【００１０】
また、荷物９が宙に浮かない程度に荷物用固定ベルト２の長さを雄型スナップ４で調整することで、荷物９が前方に落ちることを自らの緊張状態で防止する。
荷物９を荷物用固定ベルト２で吊すのではなく、座面７の上で括ることが特徴で、荷物９を座面７に載置できる範囲であれば、荷物９の個数、重さ及び大小についてはほとんど問われない。
【００１１】
図２は、雌型スナップ３と雄型スナップ４を係合する前後の図である。
ヘッドレスト用固定ベルト１をヘッドレスト６に巻き付けて固定し、次に荷物用固定ベルト２を座面７に載置した荷物９の取っ手にくぐらせ、荷物９が宙に浮かない程度に荷物用固定ベルト２の長さを雄型スナップ４で調整する。
荷物９を座席に固定する際は、雌型スナップ３に雄型スナップ４を差し込めばよく、急いでいるときも簡単にできる。
また、荷物９を荷物用固定ベルト２から外す際は、雄型スナップ４の両サイドの突起を押しながら引き抜けばよい。
【００１２】
図３は自動車座面の荷物落下防止ベルトをヘッドレスト用固定ベルト１でヘッドレスト６に固定した図である。
本考案では、自動車座面の荷物落下防止ベルトを座席から取り外すことも可能であるが、そのまま取り付けたままでもよい。
【００１３】
図４は自動車座面の荷物落下防止ベルトの正面図である。図５は図４の背面図である。ヘッドレスト用固定ベルト１、荷物用固定ベルト２、雌型スナップ３、雄型スナップ４および調節留め金５からなる。
荷物用固定ベルト２の交差している部分に雌型スナップ３を、もう一端の途中に雄型スナップ４を具備し、ヘッドレスト用固定ベルト１の一端に調節留め金５を具備する。
二本のベルトが交差するように縫いつけられている。
自動車座面の荷物落下防止ベルトは小さく丸めることができるため、座席から取り外した際にも嵩張らず、ドアポケットやグローブボックスにしまうことができる。
【００１４】
図６はヘッドレスト用固定ベルト１を運転席以外のヘッドレストに巻き付けているところを座席の斜め後ろから見た図である。
ヘッドレスト用固定ベルト１の一端に調節留め金５を具備している。
ヘッドレスト用固定ベルト１をヘッドレスト６に取り付ける際は、調節留め金５にヘッドレスト用固定ベルト１の一端を取り付ければよい。
また、ヘッドレスト用固定ベルト１をヘッドレスト６から取り外す際は、ヘッドレスト用固定ベルト１の一端を調節留め金５からはずせばよい。
【００１５】
図７はヘッドレスト用固定ベルト１を運転席以外のヘッドレスト６に調節留め金５で固定した状態を座席の斜め後ろから見た図である。
自動車のヘッドレスト６の大きさは車種によりさまざまであるが、調節留め金５で長さを自由に調整できる。
後部座席でもヘッドレスト６があればどの座席でも使用可能である。
【００１６】
図８はヘッドレスト用固定ベルト１をヘッドレスト６に固定した状態で、人が座席に着座する際、自動車座面の荷物落下防止ベルトが邪魔になるため、荷物用固定ベルト２及び雌型スナップ３、雄型スナップ４を背もたれ８の後ろに回そうとしている際の図である。
荷物用固定ベルト２はヘッドレスト６を中心軸として回動自在に構成されている。
【００１７】
図９はヘッドレスト用固定ベルト１をヘッドレスト６に固定し、自動車座面の荷物落下防止ベルトを背もたれ８の後ろに回した図である。
これにより、人が座席に着座する際、自動車座面の荷物落下防止ベルトが邪魔にならず、なんら支障をきたさない。
【００１８】
図１０は、自動車座面の荷物落下防止ベルトを背もたれ８の後に回した際、足もとに置くことがためらわれる荷物９を荷物用固定ベルト２で吊した図である。
荷物９はある程度の重さ（３９ｋｇまで）なら自動車座面の荷物落下防止ベルトで吊すことが可能である。
【００１９】
チャイルドシートを後部座席に設置している場合は、特に助手席に荷物を載置することが多いが、このような時にも便利である。
【００２０】
本考案は、以上のような構造である。
なお、本考案の基本原理を逸脱しない範囲において適宜に改良、変更することが可能である。
【符号の説明】
【００２１】
１  ヘッドレスト用固定ベルト
２  荷物用固定ベルト
３  雌型スナップ
４  雄型スナップ
５  調節留め金
６  ヘッドレスト
７  座面
８  背もたれ
９  荷物
【産業上の利用可能性】
【００２２】
本校案の荷物落下防止ベルトは、急ブレーキや急カーブの際も、荷物が前後左右にずれることがなく、また座面から落下して壊れることもないので、運転者が安心して運転できることを可能にする落下防止ベルトとして利用できる。